(57)【要約】  【課題】  テレビ受信中に好みの放送内容を実際に受信した放送内容に代えて繰り返し視聴できるテレビ番組受信装置を提供する。  【解決手段】  テレビ番組を受信するテレビ受信部１と、テレビ受信部１で受信した任意の放送内容を選択し、記憶するメモリ１０と、テレビ受信部１でテレビを受信している状態で、任意の放送内容と同種の放送内容が受信開始されたとき、その時刻を検出する受信開始時刻検出手段と、受信開始される時刻が検出されたとき、受信中の放送内容に代えてメモリ１０に記録された放送内容をメモリ１０より読み出し表示部８、音声出力部６に出力する制御部１１を備える。これにより、テレビ受信中に任意の放送内容を記憶し、記憶した放送内容と同種の放送内容が放送されたとき、その同種の放送内容に代えて、先に記憶した放送内容を任意に再生し出力することができる。【選択図】  図１
2005184183.tif 000002
【特許請求の範囲】
【請求項１】
テレビ番組を受信するテレビ受信手段と、テレビ受信手段で受信した任意の内容を選択し、記憶する記憶手段と、前記テレビ受信手段でテレビを受信している状態で、前記任意の内容と同種の内容が受信開始される時刻を検出する受信開始時刻検出手段と、前記受信開始される時刻が検出されたとき、前記受信中の内容に代えて前記記録手段に記録された内容を前記記憶手段より再生し、表示する表示手段とを備えたテレビ番組受信装置。
【請求項２】
前記記憶手段に記憶される任意の内容にしおりを付加するしおり付加手段を備え、そのしおりを基に、前記記憶手段に記憶された任意の内容を選択的に再生可能に構成した請求項１記載のテレビ番組受信装置。
【請求項３】
前記しおりは、前記記憶手段に記憶された内容の放送時刻、チャンネル、その他の情報の少なくとも１つを含む情報であることを特徴とする請求項２記載のテレビ番組受信装置。
【請求項４】
前記記憶手段に記憶される任意の内容は、コマーシャルであることを特徴とする請求項１〜３のいずれか１項に記載のテレビ番組受信装置。
【請求項５】
テレビ番組を受信可能なテレビ番組受信装置と、前記テレビ番組受信装置と通信可能なセンタ装置とを備え、前記テレビ番組受信装置は、テレビ番組を受信するテレビ受信手段と、前記テレビ受信手段で受信した内容を選択し、その選択された内容にしおりを付加するしおり付加手段と、付加されたしおりを前記センタ装置に送信する送信手段と、前記センタ装置より送信された前記しおりに関連する前記内容と同種の内容を受信する受信手段と、受信された前記同種の内容を記憶する記憶手段と、前記テレビ受信手段でテレビ番組を受信している状態で、前記内容と同種の内容が受信開始される開始時刻を検出する検出手段と、前記検出された開始時刻より前記受信中の内容に代えて前記記録手段に記録された内容を前記記憶手段より再生し表示する表示手段とを備え、
前記センタ装置は、前記テレビ番組受信装置から送信されたしおりを受信するしおり受信手段と、受信したしおりを基にデータベースよりそのしおりに関連する同種の内容を抽出する抽出手段と、抽出した内容を前記テレビ番組受信装置に送信する送信手段とを備えたことを特徴とするテレビ番組受信システム。
【請求項６】
前記記憶手段に記憶される任意の内容がコマーシャル部分であることを特徴とする請求項５記載のテレビ番組受信システム。
【請求項７】
テレビ番組を受信可能なテレビ番組受信装置と、前記テレビ番組受信装置と通信可能なテレビ受信記録再生装置とを備え、前記テレビ番組受信装置は、テレビ番組を受信するテレビ受信手段と、前記テレビ受信手段で受信した内容を選択し、その選択された内容にしおりを付加するしおり付加手段と、付加されたしおりを前記テレビ受信記録再生装置に送信する送信手段とを備え、
前記テレビ受信記録再生装置は、テレビ番組を受信し記録するテレビ受信記録手段と、前記テレビ番組受信装置より送信されたしおりを受信するしおり受信手段と、受信したしおりを基に前記テレビ受信記録手段で記憶された内容から前記しおりを付した内容に相当する内容を抽出し、その抽出した内容を飛ばして再生する再生手段とを備えたことを特徴とするテレビ番組受信システム。
【請求項８】
テレビ番組を受信可能なテレビ番組受信装置と、前記テレビ番組受信装置と通信可能なテレビ受信記録再生装置とを備え、前記テレビ番組受信装置は、テレビ番組を受信するテレビ受信手段と、前記テレビ受信手段で受信した内容を選択し、その選択された内容にしおりを付加するしおり付加手段と、付加されたしおりを前記テレビ受信記録再生装置に送信する送信手段とを備え、
前記テレビ受信記録再生装置は、テレビ番組を受信し記録するテレビ受信記録手段と、前記テレビ番組受信装置より送信されたしおりを受信するしおり受信手段と、受信したしおりを基に前記テレビ受信記録手段で記憶された内容から前記しおりを付した内容に相当する内容を抽出し、その内容を前記テレビ番組受信装置からのしおりを付した内容に入れ替えて出力する出力手段とを備えたことを特徴とするテレビ番組受信システム。
【請求項９】
テレビ番組を受信可能なテレビ番組受信装置と、前記テレビ番組受信装置と通信可能なテレビ受信記録再生装置とを備え、前記テレビ番組受信装置は、テレビ番組を受信するテレビ受信手段と、前記テレビ受信手段で受信した内容を選択し、その選択された内容にしおりを付加するしおり付加手段と、付加されたしおりをセンタ装置に送信する送信手段と、センタ装置より送信された前記しおりに関連する前記内容と同種の内容を受信する受信手段と、受信された内容及び付加されたしおりをそれぞれ前記テレビ受信記録再生装置に送信する送信手段とを備え、
前記テレビ受信記録再生装置は、テレビ番組を受信し記録するテレビ受信記録手段と、前記テレビ番組受信装置より送信された内容及びしおりをそれぞれ受信するしおり受信手段と、受信した内容及びしおりをそれぞれ記憶する記憶手段と、前記テレビ受信記録手段によって記憶された内容の中から前記内容、しおりに相当する部分の内容を抽出し、その内容を抽出した内容に入れ替え再生する再生手段とを備えたことを特徴とするテレビ番組受信システム。
【発明の詳細な説明】
【技術分野】
【０００１】
本発明は、テレビ番組を受信可能なテレビ番組受信装置とそれを用いたテレビ番組受信システムに関する。
【背景技術】
【０００２】
従来、携帯端末装置では、電話機能に加え、電子メールやインターネット、その他、多くの機能が備え付けられている。特に、最近では、カメラを付加したり、テレビを視聴したりできるようなものも多く考えられている。
【０００３】
一方、テレビ番組を記録したり、再生したりするだけの装置では、テレビ受信部で受信したテレビ番組の内容をそれぞれ番組データ、ＣＭデータに分け、これらをそれぞれの記録再生部に記録する。そして、再生する際には、それぞれをそれぞれの記録再生部で再生し、両者を互いに合成して出力するというものが知られている（特許文献１参照）。
【０００４】
この装置によれば、記録した番組データを再生する際に、ＣＭデータも必ず再生され合成されるため、広告としての効果を低下させることなく、ＣＭデータを選択的に再生できるというメリットを有する。
【０００５】
【特許文献１】特開２０００−１６５３３５号公報（第２頁、図１）
【発明の開示】
【発明が解決しようとする課題】
【０００６】
しかしながら、従来知られている特許文献１記載の装置は、番組データ、ＣＭデータをそれぞれ別々に分離して記録し、選択された番組に対応してそれぞれの番組データ、ＣＭデータを再生し、互いに合成するものであり、テレビ受信中に、好みのＣＭ或いは同種のＣＭを受信中のＣＭに代えて自動的に繰返し再生し出力することはできないものであった。また、この種の装置は、主として家庭用のものであり、外部に持ち出して携帯するものではなく、外部では使用不可能なものであった。
【０００７】
本発明は、以上のような従来の問題に鑑みてなされたものであり、テレビ受信中に好みの放送内容を実際に受信した放送内容に代えて繰り返し視聴できるテレビ番組受信装置を提供するものである。
【課題を解決するための手段】
【０００８】
本発明のテレビ番組受信装置は、テレビ番組を受信するテレビ受信手段と、テレビ受信手段で受信した任意の内容を選択し、記憶する記憶手段と、前記テレビ受信手段でテレビを受信している状態で、前記任意の内容と同種の内容が受信開始される時刻を検出する受信開始時刻検出手段と、前記受信開始される時刻が検出されたとき、前記受信中の内容に代えて前記記録手段に記録された内容を前記記憶手段より再生し、表示する表示手段とを備えた構成を有している。
【０００９】
この構成により、テレビ受信中に任意の内容を選択、記憶し、その記憶した内容と同種の内容が放送されたとき、その同種の内容に代えて、先に記憶した内容を再生し出力することができ、好みの内容があれば、それを繰り返し再生出力することができるという作用を有する。
【００１０】
また、本発明のテレビ番組受信装置は、前記記憶手段に記憶される任意の内容にしおりを付加するしおり付加手段を備え、そのしおりを基に、前記記憶手段に記憶された任意の内容を選択的に再生可能な構成を有している。
【００１１】
この構成により、予めしおりを付加することにより、そのしおりを基に、記憶手段に記憶された任意の内容を選択的に再生することができ、記憶された内容の中から容易に任意のものを選択することができる。
【００１２】
また、本発明のテレビ番組受信装置は、前記しおりは、前記記憶手段に記憶された内容の放送時刻、チャンネル、その他の情報の少なくとも１つを含む情報である構成を有する。
【００１３】
この構成により、放送時刻、チャンネル、その他の情報を基に、記憶手段に記憶された内容を選択することができ、その選択が容易になる。
【００１４】
また、本発明のテレビ番組受信装置は、前記記憶手段に記憶される任意の内容は、コマーシャルである構成を有する。
【００１５】
この構成により、好みのコマーシャルを任意に記憶し、繰り返し再生して視聴することができる。
【００１６】
また、本発明のテレビ番組受信システムは、テレビ番組を受信可能なテレビ番組受信装置と、前記テレビ番組受信装置と通信可能なセンタ装置とを備え、前記テレビ番組受信装置は、テレビ番組を受信するテレビ受信手段と、前記テレビ受信手段で受信した内容を選択し、その選択された内容にしおりを付加するしおり付加手段と、付加されたしおりを前記センタ装置に送信する送信手段と、前記センタ装置より送信された前記しおりに関連する前記内容と同種の内容を受信する受信手段と、受信された前記同種の内容を記憶する記憶手段と、前記テレビ受信手段でテレビ番組を受信している状態で、前記内容と同種の内容が受信開始される開始時刻を検出する検出手段と、前記検出された開始時刻より前記受信中の内容に代えて前記記録手段に記録された内容を前記記憶手段より再生し表示する表示手段とを備え、前記センタ装置は、前記テレビ番組受信装置から送信されたしおりを受信するしおり受信手段と、受信したしおりを基にデータベースよりそのしおりに関連する同種の内容を抽出する抽出手段と、抽出した内容を前記テレビ番組受信装置に送信する送信手段とを備えた構成を有する。
【００１７】
この構成により、好みの内容にしおりを付け、それをセンタ装置に送信することにより、センタ装置よりその好みの内容に同種の内容の情報が送信され、それが記憶手段に記憶されるため、記憶手段に記憶された同種の内容も含めてこれらを任意に再生し出力することができるという作用を有する。
【００１８】
また、本発明のテレビ番組受信システムは、前記記憶手段に記憶される任意の内容がコマーシャル部分である構成を有している。
【００１９】
この構成により、例えば、好みのタレントなどが出演しているコマーシャルにしおりを付加し、そのしおりをセンタ装置に送信することにより、その好みのタレントが出演している他のコマーシャルなどの同種のコマーシャルをセンタ装置より受信し、記憶手段に記憶することができ、好みのタレントが出演しているコマーシャルのみ選択的に視聴することができるという作用を有する。
【００２０】
また、本発明のテレビ番組受信システムは、テレビ番組を受信可能なテレビ番組受信装置と、前記テレビ番組受信装置と通信可能なテレビ受信記録再生装置とを備え、前記テレビ番組受信装置は、テレビ番組を受信するテレビ受信手段と、前記テレビ受信手段で受信した内容を選択し、その選択された内容にしおりを付加するしおり付加手段と、付加されたしおりを前記テレビ受信記録再生装置に送信する送信手段とを備え、前記テレビ受信記録再生装置は、テレビ番組を受信し記録するテレビ受信記録手段と、前記テレビ番組受信装置より送信されたしおりを受信するしおり受信手段と、受信したしおりを基に前記テレビ受信記録手段で記憶された内容から前記しおりを付した内容に相当する内容を抽出し、その抽出した内容を飛ばして再生する再生手段とを備えた構成を有する。
【００２１】
この構成により、テレビ番組受信装置においてしおりを付加し、それをテレビ受信記録再生装置に送信することにより、テレビ受信記録再生装置において事前にテレビ番組を記憶しておき、その状態でテレビ番組受信装置より送信されたしおりを基に、そのしおりの部分を飛ばして再生することができ、例えば、コマーシャルなどを完全に飛ばして視聴することができると言う作用を有する。
【００２２】
また、本発明のテレビ番組受信システムは、テレビ番組を受信可能なテレビ番組受信装置と、前記テレビ番組受信装置と通信可能なテレビ受信記録再生装置とを備え、前記テレビ番組受信装置は、テレビ番組を受信するテレビ受信手段と、前記テレビ受信手段で受信した内容を選択し、その選択された内容にしおりを付加するしおり付加手段と、付加されたしおりを前記テレビ受信記録再生装置に送信する送信手段とを備え、
前記テレビ受信記録再生装置は、テレビ番組を受信し記録するテレビ受信記録手段と、前記テレビ番組受信装置より送信されたしおりを受信するしおり受信手段と、受信したしおりを基に前記テレビ受信記録手段で記憶された内容から前記しおりを付した内容に相当する内容を抽出し、その内容を前記テレビ番組受信装置からのしおりを付した内容に入れ替えて出力する出力手段とを備えた構成を有する。
【００２３】
この構成により、テレビ受信記録手段で記憶された内容からしおりを付した内容に相当する内容の部分をしおりを付した内容に入れ替えて出力することができるという作用を有する。
【００２４】
また、本発明のテレビ番組受信システムは、テレビ番組を受信可能なテレビ番組受信装置と、前記テレビ番組受信装置と通信可能なテレビ受信記録再生装置とを備え、前記テレビ番組受信装置は、テレビ番組を受信するテレビ受信手段と、前記テレビ受信手段で受信した内容を選択し、その選択された内容にしおりを付加するしおり付加手段と、付加されたしおりをセンタ装置に送信する送信手段と、センタ装置より送信された前記しおりに関連する前記内容と同種の内容を受信する受信手段と、受信された内容及び付加されたしおりをそれぞれ前記テレビ受信記録再生装置に送信する送信手段とを備え、
前記テレビ受信記録再生装置は、テレビ番組を受信し記録するテレビ受信記録手段と、前記テレビ番組受信装置より送信された内容及びしおりをそれぞれ受信するしおり受信手段と、受信した内容及びしおりをそれぞれ記憶する記憶手段と、前記テレビ受信記録手段によって記憶された内容の中から前記内容、しおりに相当する部分の内容を抽出し、その内容を抽出した内容に入れ替え再生する再生手段とを備えた構成を有する。
【００２５】
この構成により、テレビ番組受信装置によって付加したしおりを基に、センタ装置よりそのしおりに関連する内容を取得し、これらも併せてテレビ受信記録再生装置に送信することができ、テレビ受信記録再生装置において、それらの内容を対応する内容に入れ替えて再生することができ、コマーシャルのタイミングになれば、いつも好みのコマーシャルなどに置換えて再生することができると言う作用を有する。
【発明の効果】
【００２６】
本発明は、テレビ受信中に好みの放送内容を実際に受信した放送内容に代えて繰り返し視聴できるという効果を有する。
【発明を実施するための最良の形態】
【００２７】
以下、本発明の最良の実施の形態について説明する。
（第１の実施の形態）
図１は、本発明の第１の実施の形態におけるテレビ番組受信装置の構成を示す概略ブロック図である。
【００２８】
本発明の第１の実施の形態におけるテレビ番組受信装置は、図１に示すように、テレビ番組を受信するテレビ受信部１と、電話や電子メール、インターネットなどへの接続のための無線送受信部２と、マイク３、レシーバ４に接続された電話通話のための音声入出力部５と、電話の呼出しや、テレビの音声出力に使用する音声出力部６と、音声出力部６に接続されたスピーカ７と、電話やテレビなどの各種の必要な映像、情報などをそれぞれ表示する表示部８と、各種指令、情報等を入力する操作部９と、操作部９の操作によってしおりを付加した放送内容を記憶したり、その放送内容と同種の放送内容を記憶したりするメモリ１０と、これらを制御する制御部１１とを備えており、所謂、携帯電話機などの携帯端末装置を構成している。
【００２９】
そして、この携帯端末装置は、先ず、テレビ受信部１を用いて任意にテレビ番組を受信し、視聴できるように構成されている。すなわち、操作部９を用いて、装置をテレビモードにすると、その状態で制御部１１の制御の基で、テレビ受信部１が動作可能な状態になり、操作部９で選択されたチャンネルのテレビ番組が受信可能な状態になる。受信されたテレビ番組の内容は、映像と音声にそれぞれ分離され、映像は表示部８に、音声はスピーカ７に出力される。
【００３０】
また、操作部９を用いて、電話モードにすれば、その状態で電話や電子メール、インターネット通信が可能なように構成されている。なお、相手より電話呼出しがあった場合には、テレビモードであっても自動的に電話モードに切りかえられ、相手との電話が可能なように構成されている。ここで、テレビモードであっても、そのまま相手との電話が可能なようにすることも可能である。
【００３１】
操作部９を用いて、電話モードにした場合には、操作部９を用いて相手の電話番号を入力したり、予め定めた操作キーを操作し、図示しない電話帳部より相手の電話番号を引き出したりして、これらの電話番号を一旦表示部８に表示し、その状態で予め定めた発信用の操作をすることにより、操作部９を用いて入力した電話番号や電話帳部より引出した電話番号をそれぞれ無線送受信部２を介して図示していない電話基地局に送信し発信することができる。そして、発信した電話に対し相手が応答すれば、無線送受信部２を介して相手との間で通話回路が形成され、マイク３、レシーバ４を用いて、音声入出力部５、無線送受信部２を介してそれぞれ相手との間で通話することができるようになる。
【００３２】
相手から電話呼出があり、それが無線送受信部２で受信された場合には、制御部１１の制御の基で、テレビモードであっても電話モードに自動的に切りかえられ、テレビの受信が一時中止され、あるいは、中止されないで、そのままの状態で、音声出力部６よりスピーカ７に所定の呼出信号が出力され、スピーカより所定の呼出音が出力される。呼出音に応答して予め定めた所定の操作をすれば、その相手との間で通話することが可能になる。
【００３３】
電子メールの場合も同様に、送信する場合には、操作部９のナビゲーションキーや機能キー、テンキーなどを用いて、まず、電子メールしたい文章を作成し、それと共に相手の電子メールアドレスをメモリ１０の電話帳部より引き出したり、テンキー５などを用いて入力したりして、これらを一旦表示部８に表示し、その状態で送信用の所定のキーを操作することにより、テンキーなどで入力した電子メールアドレスや電話帳部より引出した電子メールアドレスと共にナビゲーションキーや機能キー、テンキーなどを用いて作成した電子メールを無線送受信部２を介して電子メールプロバイダー（図示せず）に送信し、相手に送信することができる。
【００３４】
相手からの電子メールは、無線送受信部２が自動的に受信し、制御部１１の制御の基で、メモリ１０の電子メール記憶部に自動的に記憶する。記憶された電子メールは、操作部９を用いてメモリ１０より任意に呼出すことにより、表示部８に表示して容易に確認することができる。
【００３５】
インターネットの場合には、操作部９のナビゲーションキーや機能キー、テンキーなどを用いて、必要な操作を行い、相手のアドレスを指定すれば、そのアドレスの相手との間で通信が可能になり、双方で通信することができるようになる。
【００３６】
そして、テレビ受信中に好みのコマーシャルやその他の放送内容にしおりを付加し、それをメモリ１０に記憶すれば、その後のテレビ受信時にメモリ１０に記憶されたコマーシャルやその他の放送内容を実際に放送受信しているコマーシャルやその他の放送内容に代えて制御部１１より出力し、表示部８に表示したり、スピーカ７で出力したりすることができる。
【００３７】
以下、このことについて、更に詳細に説明する。
図２に示すように、操作部９を用いてテレビモードにし、テレビ番組を受信している状態（Ｓ２０１）で、コマーシャル（ＣＭ）などの特定の放送内容が放送されたとき、操作部９を用いて所定の操作を行うと、その時の時刻、チャンネルなどがしおりとして上記特定の放送内容に付加され（Ｓ２０２）、それらがメモリ１０に記憶される（Ｓ２０３）。そして、そのまま、或いは、一旦中止して再びテレビ番組を受信していると、制御部１１がそのテレビ番組の中で上記特定の放送内容（ここではコマーシャル）が放送される開始時刻を検出する（Ｓ２０４）。特定の放送内容の開始時刻は、放送電波の強度、変調度、その他、特定の放送内容を識別する識別信号などを基に制御部１１が自動的に検出する。特定の放送内容の開始時刻が検出されると（Ｓ２０４）、その時刻より、実際に受信している放送内容に代えてメモリ１０に記憶されている放送内容が制御部１１の制御の基で読み出し、表示部８及び音声出力部６にそれぞれ映像信号、音声信号が出力される（Ｓ２０５）。
【００３８】
仮に、特定の放送内容が、コマーシャルの放送内容であり、好みのタレントが出演しているコマーシャルの内容をメモリ１０に記憶したとすると、それ以降は、テレビを受信している限り、コマーシャルの時間になると、自動的に先にメモリ１０に記憶した好みのタレントが出演しているコマーシャルの内容が実際のコマーシャルに代わって出力されることになり、好みのタレントが出演しているコマーシャルの内容のみ自動的に繰り返し視聴することができるようになる。
【００３９】
なお、本実施の形態では、テレビ番組受信装置として、携帯電話機、ＰＤＡ、その他の携帯端末装置を例に挙げているが、テレビ番組受信装置は、言葉の通り、テレビ番組が受信できるものであれば何でもよく、家庭用のテレビ番組受信装置、テレビ受信機能を備えたＶＴＲ、ＤＶＤ、その他のテレビ受信記憶再生装置などでも良い。
【００４０】
また、本実施の形態では、メモリ１０に好みの放送内容を１つ記憶しているだけであるが、複数記憶することも可能である。その場合、操作部９を用いて複数の放送内容の中から任意の１つを選択的に読み出し、再生できるように構成することが望ましい。
【００４１】
更に、しおりを基に、複数の放送内容をそれぞれ操作部９の操作によって予め設定した順に順次再生されるように構成することも可能である。このように構成すれば、複数の放送内容を特定の放送内容の時刻毎に、或いは、チャンネル毎に、或いは、ジャンル毎に、それぞれ１つづつ順次読み出して再生することができ、複数の放送内容が同種の放送内容、例えば、好みのタレントが出演しているそれぞれ異なるコマーシャルの場合、よりユーザにとって好ましい状態を演出することができる。
【００４２】
（第２の実施の形態）
本発明の第２の実施の形態は、テレビ番組受信システムであり、テレビ番組を受信できるテレビ番組受信装置としての携帯端末装置と、この携帯端末装置との間で通信可能なセンタ装置とを備えている。
【００４３】
携帯端末装置は、図１に示すように、第１の実施の形態における携帯端末装置と実質的に同じように構成されている。異なる点は、操作部９を用いて付加し、メモリ１０に記憶したしおりを、無線送受信部２を介してセンタ装置に送信可能であり、センタ装置からの上記しおりに関連する同種の放送内容を無線送受信部２を介して受信し、それをメモリ１０に記憶可能にしていることである。そして、テレビ受信中に特定の放送内容が放送されたとき、その特定の放送内容に代えてメモリ１０に記憶された上記関連する放送内容を読み出し、それを出力するように構成したことである。
【００４４】
図３は、そのために必要なセンタ装置の構成を示す概略ブロック図であり、携帯端末装置との間で情報のやり取りを行う送受信部３１と、特定の放送内容に関連してそれに関連する放送内容を多数記録したデータベース３２と、これらを制御する制御部３３とを備えている。
【００４５】
データベース３２には、例えば、特定の放送内容が放送された時刻、チャンネル、種別（属性）、内容などが互いに関連付けられて多数記憶されている。したがって、時刻、チャンネルなどをしおりとして付加し、それを基に特定の放送内容を検索することが可能であり、また、検索された特定の放送内容から種別（属性）や内容を検知し、それらに基づいて、同種の特定の放送内容を検索、抽出することも容易なように構成されている。
【００４６】
次に、本発明の第２の実施の形態について、その動作を説明する。
携帯端末装置単体としては、先に説明したように、少なくとも、第１の実施の形態と同様に動作する。したがって、その動作の詳細は省略し、異なる点のみ説明する。
【００４７】
図４、図５は、本発明の第２の実施の形態におけるテレビ番組受信システムの動作を示すフローチャートである。
【００４８】
図４に示すように、携帯端末装置を、操作部９を用いてテレビモードにすると、この状態で、操作部９を用いて設定した任意のテレビ番組が受信可能な状態になる（Ｓ４０１）。テレビ番組を受信している状態で、好みの放送内容（例えば、好みのタレントが出演しているコマーシャル）が放送され、その時点で予め定めた操作を、操作部９を用いて実施すると、上記放送内容の放送時刻、チャンネルがそれぞれしおりとして上記放送内容に付加され（Ｓ４０２）、それがメモリ１０に記憶される（Ｓ４０３）。
【００４９】
そして、その後、予め定めた操作を操作部９を用いて実施すると、メモリ１０に記憶されたしおりの情報が、無線送受信部２を介してセンタ装置に送信される（Ｓ４０４）。
【００５０】
センタ装置では、送受信部３１で、携帯端末装置より送信されたしおりの情報を受信し（Ｓ４０５）、それを制御部３３に供給する。制御部３３は、送受信部３１で受信したしおりの情報を基に、データベース３２を検索し、受信したしおりの情報に関連する同種の放送内容（例えば、同じ好みのタレントが出演している他のコマーシャル）を、１つ、または、複数あれば複数、それぞれ抽出する（Ｓ４０６）。そして、抽出した放送内容をそれぞれのしおりと共に送受信部３１を介して携帯端末装置側に送信する（Ｓ４０７）。
【００５１】
携帯端末装置では、センタ装置より送信された放送内容をしおりの情報と共に無線送受信部２で受信し、制御部１１の制御の基で、メモリ１０に記憶する（Ｓ４０８）。
【００５２】
図５に示すように、携帯端末装置において、テレビ番組受信中（Ｓ５０１）に、制御部１１の制御の基で、特定の放送内容（例えば、コマーシャル）の開始時刻が検出されると（Ｓ５０２）、メモリ１０に記憶された特定の放送内容が制御部１１の制御の基で読み出され（Ｓ５０３）、実際に放送され受信されている放送内容に代わって、メモリ１０より読み出された特定の放送内容が制御部１１より表示部８及び音声出力部６に出力される（Ｓ５０４）。
【００５３】
したがって、本実施の形態によれば、特定の放送内容が放送される時間にメモリ１０に記憶された他の特定の放送内容を視聴することができ、例えば、特定の放送内容をコマーシャルの放送内容とした場合、コマーシャルの時間に、好みのタレントが出演しているコマーシャルは勿論のこと、その好みのタレントが出演している他のコマーシャルをも任意に視聴することができるという作用を有する。
【００５４】
なお、本実施の形態において、メモリ１０に複数の放送内容が記憶された場合、操作部９を用いて、それらの中から任意の放送内容を任意に読み出し再生できるようにしていることは言うまでもないことである。
【００５５】
また、上記実施の形態では、特定の放送内容に、しおりとして放送時刻、チャンネルなどを付加しているだけであるが、それに加え、種別（属性）、使用者嗜好、コメント、その他の情報をしおりとして付加するように構成しても良い。このように構成すれば、テレビ番組の時刻、チャンネルだけでなく、種別（属性）、使用者嗜好、コメントなどを基に、好みの特定の放送内容をメモリ１０より容易に読み出すことができるようになり、よりユーザにとって有利なものになる。
【００５６】
また、本実施の形態では、テレビ受信中に電話がかかってくると、自動的にテレビ受信モードから電話モードに切り替えられ、電話のみ可能になるように構成しているが、テレビ受信モードをそのままにして、その状態で電話ができるように構成しても良い。そして、このことは、相手に対し電話発信する場合も同様であり、テレビ受信のまま、相手に発信できるように構成しても良い。
【００５７】
また、本実施の形態でも、テレビ番組受信装置として、携帯電話機、ＰＤＡ、その他の携帯端末装置を例に挙げているが、テレビ番組受信装置は、言葉の通り、テレビ番組が受信できるものであれば何でもよく、家庭用のテレビ番組受信装置、テレビ受信機能を備えたＶＴＲ、ＤＶＤ、その他のテレビ受信記憶再生装置などでも良い。
【００５８】
（第３の実施の形態）
第１、第２の実施の形態では、テレビ番組受信装置としての携帯端末装置そのものでテレビ番組を聴取するようにしているが、本実施の形態では、携帯端末装置に、携帯端末装置で付加したしおりや内容、センタ装置より入手した内容などをそれぞれ別に設けたテレビ受信記録再生装置に送信する送信部を設け、テレビ受信記録再生装置において、これらを受信し記録し、受信したしおり及び内容を利用して、そのしおりや内容に相当する部分を飛ばしたり、早送りしたり、或いは、その内容を入れ替えて再生したりできるように構成している。
【００５９】
従って、本実施の形態では、外出先でしおりを付加するだけに留め、後でゆっくりセンタ装置よりそのしおりに関連する内容を入手し、これらの内容を基に別に設けたテレビ受信記録再生装置、その内容に相当する部分を飛ばしたり、入れ替えたり、早送りしたりして再生することができるというメリットを有する。
【００６０】
以下、本実施の形態におけるテレビ受信システムについて、その構成、動作を詳細に説明する。
【００６１】
図６は、本実施の形態において使用する携帯端末装置のブロック図、図７は、同装置と共に使用するテレビ受信記録再生装置のブロック図である。
【００６２】
本実施の形態でも、携帯端末装置やセンタ装置は、これまでに説明した図１、図３に示す第１、第２の実施の形態と実質的に同様の構成を有している。したがって、共通する部分には、同じ番号を付し、その詳細な説明は省略する。
【００６３】
本実施の形態では、携帯端末装置に、図６に示すように、携帯端末装置で付加したしおりや内容、センタ装置より入手した内容をそれぞれ別に設けたテレビ受信記録再生装置６０に送信するための送信部１２を備えている。そして、テレビ受信記録再生装置６０は、図７に示すように、テレビ番組を受信し、記録再生するためのテレビ受信記録再生部６１と、携帯端末装置より送信されたしおり、内容などをそれぞれ受信する受信部６２と、この受信部６２で受信したしおり、内容などをそれぞれ記憶する記憶部６３と、操作部６４、表示部６５、音声出力部６６、及び、これらを制御する制御部６７を備えている。
【００６４】
次に、本実施の形態におけるテレビ受信システムについて、その動作を図８を用いて詳細に説明する。
【００６５】
図８（Ａ）に示すように、携帯端末装置においてテレビ番組を受信し（Ｓ８０１）、その状態で、好みの放送内容などが受信され、そのとき、操作部９を用いて予め定めた所定の操作を行うと（Ｓ８０２）、これによって、その放送内容にしおりが付加され（Ｓ８０３）、そのしおりがその放送内容と共にメモリ１０に記憶される（Ｓ８０４）。
【００６６】
しおり及び内容がメモリ１０に記憶された状態で、図８（Ｂ）に示すように、操作部９を用いて予め定めた操作を行うと（Ｓ８０５）、メモリ１０に記憶されたしおり及び内容がそれぞれその操作に応じて読み出され、テレビ受信記録再生装置に送信される（Ｓ８０６）。すなわち、その操作によって読み出すしおり及び内容をそれぞれ指定した場合には、その指定されたしおり及び内容がそれぞれ読み出され、それが送信部１２を介してテレビ受信記録再生装置に送信される（Ｓ８０６）。
【００６７】
テレビ受信記録再生装置は、事前に予め定めた所定の操作を行うことにより、図８（Ｃ）に示すように、テレビ番組を自動的に受信し（Ｓ８０７）、それらをテレビ受信記憶再生部６１に記録（Ｓ８０８）する。記録されたテレビ番組は、操作部６４の操作によって、任意に再生したり、早送りしたり、消去したりすることができる。
【００６８】
図８（Ｄ）に示すように、操作部６４を用いて予め定めた所定の操作をしておくと（Ｓ８０９）、携帯端末装置よりしおり及び内容が送信されたとき（Ｓ８０６）、それらが受信部６２によって受信される（Ｓ８１０）。受信されたしおり及び内容は、記憶部６３に記憶され（Ｓ８１０）、次のように利用される。すなわち、テレビ受信記録再生部６１に記録されたテレビ番組を再生する際、操作部６４の操作に応じて、記憶部６４に記憶されたしおり及び内容を基に、そのしおりに対応する部分の内容を早送り、或いは、飛ばして再生したり、又は、そのしおりに対応する内容を記憶部６４に記憶された内容に差替えて出力したりする（Ｓ８１１）。
【００６９】
なお、このように再生する場合の構成については、具体的に示していないが、記憶部６３に記憶されたしおりを基に、テレビ受信記録再生部６１に記録されたテレビ番組の上記しおりに対応する部分を検出し、その検出した部分の内容を早送りしたり、飛ばしたり、記憶部６４に記憶された内容に差替えたりして最終的に出力するようにすれば良い。ただし、早送りしたり、飛ばしたり、差替えたりするためには、事前に操作部６４を用いて、その中の１つを選択し、そのための操作をしておかなければならないことは言うまでもないことである。
【００７０】
また、本実施の形態では、テレビ番組受信装置としての携帯端末装置から直接テレビ受信記録再生装置に対し、しおり及び内容を送信し、そのしおり及び内容に基づいて、しおり部分の内容を早送り、或いは、飛ばして再生したり、しおり部分の内容を携帯端末装置からの内容に入れ替えて出力するようにしているが、携帯端末装置とテレビ受信記録再生装置との間にセンタ装置を介在させ、センタ装置の制御の基でテレビ受信記録再生装置を任意に制御するように構成しても良い。たとえば、携帯端末装置において任意のテレビ番組にしおりを付加し、そのしおりと内容をセンタ装置に送信し、センタ装置において、そのしおり及び内容をそれぞれ携帯端末装置毎に記憶可能なように構成しておく。そして、センタ装置を通してしおり及び内容をテレビ受信記録再生装置に送信し、テレビ受信記録再生装置で記録された内容を再生する際、センタ装置より受信したしおり及び内容を基にそのしおりの部分を早送りしたり、飛ばしたり、或いは、センタ装置より受信した内容に入れ替えて出力するようにする。このようにすれば、携帯端末装置にしおりや内容を記憶しておかなくても、センタ装置にそれを送信記憶しておき、後で、任意に使用することができる。また、このようにすれば、センタ装置に記憶されたしおりを使用して、希望する時刻に希望する制御信号をテレビ受信記録再生装置に送信し、希望する時刻より希望するチャンネルのテレビ放送を自動的に記録したり、再生したりすることも容易である。
【産業上の利用可能性】
【００７１】
本発明は、テレビ受信中に好みの放送内容を実際に受信した放送内容に代えて繰り返し視聴できるという効果を有し、テレビ番組を受信可能なテレビ番組受信装置とそれを用いたテレビ番組受信システム等に有用である。
【図面の簡単な説明】
【００７２】
【図１】本発明の第１の実施の形態におけるテレビ番組受信装置の構成を示す概略ブロック図
【図２】本発明の第１の実施の形態におけるテレビ番組受信装置の動作を示すフローチャート
【図３】本発明の第２の実施の形態におけるテレビ番組受信システムに使用するセンタ装置の構成を示す概略ブロック図
【図４】本発明の第２の実施の形態におけるテレビ番組受信システムの動作を示す第１のフローチャート
【図５】本発明の第２の実施の形態におけるテレビ番組受信システムの動作を示す第２のフローチャート
【図６】本発明の第３の実施の形態におけるテレビ番組受信システムに使用する形態端末装置の構成を示す概略ブロック図
【図７】本発明の第３の実施の形態におけるテレビ番組受信システムに使用するテレビ受信記録再生装置の構成を示す概略ブロック図
【図８】本発明の第３の実施の形態におけるテレビ番組受信システムの動作を示すフローチャート
【符号の説明】
【００７３】
１  テレビ受信部
２  無線送受信部
３  マイク
４  レシーバ
５  音声入出力部
６  音声出力部
７  スピーカ
８  表示部
９  操作部
１０  メモリ
１１  制御部
１２  送信部
３１  送受信部
３２  データベース
３３  制御部
６１  テレビ受信記録再生部
６２  受信部
６３  記録部
６４  操作部
６５  表示部
６６  音声出力部
６７  制御部
【図１】
2005184183.tif 000003
【図２】
2005184183.tif 000004
【図３】
2005184183.tif 000005
【図４】
2005184183.tif 000006
【図５】
2005184183.tif 000007
【図６】
2005184183.tif 000008
【図７】
2005184183.tif 000009
【図８】
2005184183.tif 000010